(57)【要約】  画像分析システムは、中心部と台座との間に配設された液体試料のＹＵＶ色画像を収集するビデオカメラであって、色画像が、中心部と台座との間の光ビーム経路を通して光源が光を照らしている間に収集される、ビデオカメラと、ｉ）ＹＵＶ色画像から濃淡成分画像及び光散乱成分画像を得るように、かつｉｉ）濃淡成分画像の少なくとも１つの二値画像及び光散乱成分画像の少なくとも１つの二値画像を得るように適合されている、処理装置と、を含む。【選択図】図１Ｂ
2018535393.tif 000002
【特許請求の範囲】
【請求項１】
画像分析システムであって、
ａ．中心部と台座との間に配設された液体試料のＹＵＶ色画像を収集するビデオカメラであって、前記色画像が、前記中心部と前記台座との間の光ビーム経路を通して光源が光を照らしている間に収集される、ビデオカメラと、
ｂ．ｉ）前記ＹＵＶ色画像から濃淡成分画像及び光散乱成分画像を得るように、かつｉｉ）前記濃淡成分画像の少なくとも１つの二値画像及び前記光散乱成分画像の少なくとも１つの二値画像を得るように適合されている、処理装置と、を備える画像分析システム。
【請求項２】
均一な反射性背景をさらに含む、請求項１に記載の画像分析システム。
【請求項３】
前記均一な反射性背景が、薄灰色の均一な反射性背景である、請求項２に記載の画像分析システム。
【請求項４】
前記薄灰色の均一な反射性背景が、８２％の輝度及び１２％の光沢の薄灰色の均一な反射性背景である、請求項３に記載の画像分析システム。
【請求項５】
前記ビデオカメラが、カメラビデオストリームから前記ＹＵＶ色画像を収集する、請求項１に記載の画像分析システム。
【請求項６】
前記処理装置が、前記ＹＵＶ色画像のＹ成分の平均から前記濃淡成分画像を得るようにさらに適合されている、請求項５に記載の画像分析システム。
【請求項７】
前記処理装置が、前記ＹＵＶ色画像の最大Ｕ成分から前記光散乱成分画像を得るようにさらに適合されている、請求項５に記載の画像分析システム。
【請求項８】
前記処理装置が、前記中心部及び前記台座の位置を含む関心領域を前記濃淡成分画像から検出するようにさらに適合されている、請求項１に記載の画像分析システム。
【請求項９】
前記濃淡成分画像の前記少なくとも１つの二値画像が、前記濃淡成分画像内の左右の背景変動閾値間の補間から得られた動的閾値を適用することから得られた前記濃淡成分画像の第１の二値画像を含む、請求項１に記載の画像分析システム。
【請求項１０】
前記濃淡成分画像の前記少なくとも１つの二値画像が、濃淡等方性勾配画像の第２の二値画像を含み、前記濃淡等方性勾配画像が、前記濃淡成分画像と、等方性勾配画像背景雑音統計に基づく静的閾値とを用いて得られる、請求項９に記載の画像分析システム。
【請求項１１】
前記濃淡成分画像の前記少なくとも１つの二値画像が、前記第１の二値画像及び前記第２の二値画像の組み合わせから得られた合成二値画像を含む、請求項１０に記載の画像分析システム。
【請求項１２】
前記処理装置が、前記液体試料のカラムの位置及び前記光ビーム経路の位置を前記合成二値画像から検出するようにさらに適合されている、請求項１１に記載の画像分析システム。
【請求項１３】
前記処理装置が、前記液体試料の前記カラムの歪みを前記合成二値画像から検出するようにさらに適合されている、請求項１２に記載の画像分析システム。
【請求項１４】
前記処理装置が、前記液体試料の前記カラムの完全性を前記合成二値画像から評価するようにさらに適合されている、請求項１２に記載の画像分析システム。
【請求項１５】
画像分析方法であって、
ａ．中心部と台座との間に配設された液体試料のＹＵＶ色画像を収集することであって、前記色画像が、前記中心部と前記台座との間の光ビーム経路を通して光源が光を照らしている間に収集される、収集することと、
ｂ．前記ＹＵＶ色画像から濃淡成分画像及び光散乱成分画像を得ることと、
ｃ．前記濃淡成分画像の少なくとも１つの二値画像及び前記光散乱成分画像の少なくとも１つの二値画像を得ることと、
ｄ．画像分析要約をディスプレイに報告することと、を含む、画像分析方法。
【請求項１６】
ＹＵＶ色画像を収集することが、前記ＹＵＶ色画像をカメラビデオストリームから収集することを含む、請求項１５に記載の画像分析方法。
【請求項１７】
前記濃淡成分画像を得ることが、前記ＹＵＶ色画像のＹ成分を平均化することを含む、請求項１６に記載の画像分析方法。
【請求項１８】
前記光散乱成分画像を得ることが、前記ＹＵＶ色画像の最大Ｕ成分を選択することを含む、請求項１６に記載の画像分析方法。
【請求項１９】
前記濃淡成分画像の前記少なくとも１つの二値画像が、前記濃淡成分画像内の左右の背景変動閾値間の補間から得られた動的閾値を適用することから得られた前記濃淡成分画像の第１の二値画像を含む、請求項１５に記載の画像分析方法。
【請求項２０】
前記濃淡成分画像の前記少なくとも１つの二値画像が、濃淡等方性勾配画像の第２の二値画像を含み、前記濃淡等方性勾配画像が、前記濃淡成分画像と、等方性勾配画像背景雑音統計に基づく静的閾値とを用いて得られる、請求項１９に記載の画像分析方法。
【請求項２１】
前記濃淡成分画像の前記少なくとも１つの二値画像が、前記第１の二値画像及び前記第２の二値画像の組み合わせから得られた合成二値画像を含む、請求項２０に記載の画像分析方法。
【請求項２２】
前記液体試料のカラムの位置及び前記光ビーム経路の位置を前記合成二値画像から検出することをさらに含む、請求項２１に記載の画像分析方法。
【請求項２３】
前記液体試料の前記カラムの歪みを前記合成二値画像から検出することをさらに含む、請求項２２に記載の画像分析方法。
【請求項２４】
前記液体試料の前記カラムの完全性を前記合成二値画像から評価することをさらに含む、請求項２２に記載の画像分析方法。
【請求項２５】
画像分析システムを含む分光計であって、前記システムが、
ａ．前記分光計の中心部と台座との間に配設された液体試料の画像を収集するビデオカメラであって、前記画像が、光度または分光測定のために前記中心部と前記台座との間の光ビーム経路を通して光源が光を照らしている間に収集される、ビデオカメラと、
ｂ．前記画像を用いて、前記液体試料のカラム内の気泡を検出するように適合された処理装置と、を備える画像分析システム。
【請求項２６】
前記画像が、ＹＵＶ色画像であり、前記処理装置が、ｉ）前記ＹＵＶ色画像から濃淡成分画像及び光散乱成分画像を得るように、かつｉｉ）前記濃淡成分画像の少なくとも１つの二値画像及び前記光散乱成分画像の少なくとも１つの二値画像を得るようにさらに適合されている、請求項２５に記載の画像分析システム。
【請求項２７】
前記濃淡成分画像の前記少なくとも１つの二値画像が、前記濃淡成分画像内の左右の背景変動閾値間の補間から得られた動的閾値を適用することから得られた前記濃淡成分画像の第１の二値画像を含む、請求項２６に記載の画像分析システム。
【請求項２８】
前記濃淡成分画像の前記少なくとも１つの二値画像が、濃淡等方性勾配画像の第２の二値画像を含み、前記濃淡等方性勾配画像が、前記濃淡成分画像と、等方性勾配画像背景雑音統計に基づく静的閾値とを用いて得られる、請求項２７に記載の画像分析システム。
【請求項２９】
前記濃淡成分画像の前記少なくとも１つの二値画像が、前記第１の二値画像及び前記第２の二値画像の組み合わせから得られた合成二値画像を含む、請求項２８に記載の画像分析システム。
【請求項３０】
前記処理装置が、前記液体試料の前記カラムの位置及び前記光ビーム経路の位置を前記合成二値画像から検出するようにさらに適合されている、請求項２９に記載の画像分析システム。
【請求項３１】
前記処理装置が、前記濃淡成分画像と前記光散乱成分画像の前記少なくとも１つの二値画像との両方を用いて、前記液体試料の前記カラム内の気泡を検出するようにさらに適合されている、請求項３０に記載の画像分析システム。
【請求項３２】
前記濃淡成分画像を用いることが、前記濃淡成分画像から得られた濃淡等方性勾配画像にリング検出フィルタを適用することを含む、請求項３１に記載の画像分析システム。
【請求項３３】
前記少なくとも１つの二値光散乱成分画像を用いることが、前記光散乱成分画像の前記少なくとも１つの二値画像にモルフォロジカルフィルタを適用することを含む、請求項３１に記載の画像分析システム。
【請求項３４】
前記処理装置が、前記濃淡成分画像、前記光散乱成分画像の前記少なくとも１つの二値画像、及び算出された前記光ビーム経路の位置を用いて、前記光ビーム経路内の気泡を前記光ビーム経路から出た気泡と区別するようにさらに適合されている、請求項３１に記載の画像分析システム。
【請求項３５】
画像分析方法であって、
ａ．分光計の中心部と台座との間に配設された液体試料の画像を収集することであって、前記画像が、光度または分光測定のために前記中心部と前記台座との間の光ビーム経路を通して光源が光を照らしている間に収集される、収集することと、
ｂ．前記液体試料のカラムの位置及び前記光ビーム経路の位置を前記画像から検出することと、
ｃ．前記画像を用いて、前記液体試料の前記カラム内の気泡を検出することと、
ｄ．画像分析要約をディスプレイに報告することと、を含む、画像分析方法。
【請求項３６】
前記液体試料の画像を収集することが、ＹＵＶ色画像を収集することと、前記ＹＵＶ色画像から濃淡成分画像及び光散乱成分画像を得ることと、前記濃淡成分画像の少なくとも１つの二値画像及び前記光散乱成分画像の少なくとも１つの二値画像を得ることと、を含む、請求項３５に記載の画像分析方法。
【請求項３７】
前記濃淡成分画像の前記少なくとも１つの二値画像が、前記濃淡成分画像内の左右の背景変動閾値間の補間から得られた動的閾値を適用することから得られた前記濃淡成分画像の第１の二値画像を含む、請求項３６に記載の画像分析方法。
【請求項３８】
前記濃淡成分画像の前記少なくとも１つの二値画像が、濃淡等方性勾配画像の第２の二値閾値を含み、前記濃淡等方性勾配画像が、前記濃淡成分画像と、等方性勾配画像背景雑音統計に基づく静的閾値とを用いて得られる、請求項３７に記載の画像分析方法。
【請求項３９】
前記濃淡成分画像の前記少なくとも１つの二値画像が、前記第１の二値画像及び前記第２の二値画像の組み合わせから得られた合成二値画像を含む、請求項３８に記載の画像分析方法。
【請求項４０】
前記液体試料のカラムの位置及び前記光ビーム経路の位置を前記合成二値画像から検出することをさらに含む、請求項３９に記載の画像分析方法。
【請求項４１】
前記液体試料の前記カラム内の気泡を検出することが、前記濃淡成分画像と、前記光散乱成分画像の前記少なくとも１つの二値画像との両方を用いることを含む、請求項４０に記載の画像分析方法。
【請求項４２】
前記濃淡成分画像を用いることが、前記濃淡成分画像から得られた濃淡等方性勾配画像にリング検出フィルタを適用することを含む、請求項４１に記載の画像分析方法。
【請求項４３】
少なくとも１つの二値光散乱成分画像を用いることが、前記光散乱成分画像の前記少なくとも１つの二値画像にモルフォロジカルフィルタを適用することを含む、請求項４１に記載の画像分析方法。
【請求項４４】
前記濃淡成分画像、前記光散乱成分画像の前記少なくとも１つの二値画像、及び算出された前記光ビーム経路の位置を用いて、前記光ビーム経路内の気泡を前記光ビーム経路から出た気泡と区別することをさらに含む、請求項４１に記載の画像分析方法。
【発明の詳細な説明】
【技術分野】
【０００１】
関連出願の相互参照
本願は、２０１５年９月１６日に出願された、米国仮特許出願第６２／２１９，４４４号、及び２０１６年３月１１日に出願された、同第６２／３０６，７８６号、発明の名称、ＩＭＡＧＥ  ＡＮＡＬＹＳＩＳ  ＳＹＳＴＥＭ  ＡＮＤ  ＭＥＴＨＯＤに対する優先権を主張し、それらの全体が参照により本明細書に組み込まれる。
【０００２】
本発明は、概して、液体試料のカラムの画像の分析に関する。
【背景技術】
【０００３】
液体、混合物、溶液、及び反応混合物は、分光測光法等の光学技術を用いて特性評価されることが多い。これらの液体の試料を特性評価するために、液体は、通常、セルまたはキュベットと称される容器内に含有され、それらの側部の２つ以上が、光学的品質を有し、内部に含有された液体を特性評価するために必要とされるそれらの波長の通過を可能にする。例えば、１〜２マイクロリットルの非常に小さい試料体積を扱うとき、充填されるのに十分に小さいセルまたはキュベットを生成し、かつ業界標準の１ｃｍの光経路を使用することを可能にすることは困難である。また、別の試料と共に使用するためにこれらのセルまたはキュベットを洗浄することは困難かつ／または時間がかかる。
【０００４】
図１Ａに示すように、例えば、その全体が参照により本明細書に組み込まれる（しかしながら、組み込まれた参照の何らかが本願に述べられた何らかと相反する場合、本願が優先する）、２００３年９月３０日にＲｏｂｅｒｔｓｏｎに対して発行された、米国特許第６，６２８，３８２Ｂ２号に記載されている微小体積ＵＶ／Ｖｉｓ分光光度計は、表面２及び７間のその表面張力により液体試料を含有することを可能にする試料保持技術を介してマイクロリットル量の液体試料の吸収度を測定する。液体試料は、光ファイバ１１に典型的に連結された受光試料界面７と、別の光ファイバ６に典型的に連結された光伝達試料界面２との間にカラム９を形成する。上２及び下７試料界面は、典型的に１ｍｍ以下である複数の既知の経路長を生成するように、互いに対して移動し得る。表面２（本明細書中で、上試料界面または中心部とも称される）内に含有され、かつこれと同一平面にあるファイバ６を通して来る光源からの光３が、液体試料カラム９を通して下方に照射され、下試料界面４の下表面７（本明細書中で、台座とも称される）内ファイバ１１により収集され、吸光度測定のために分析分光計に送られる。中心部及び台座は、それぞれ、カラムの上下部材である。
【０００５】
ユーザが試料（典型的に、１マイクロリットルまたは２）を下試料界面に直接、手動でピペットすることにより、液体試料の配置を達成する。試料の不存在下でシステムを通して伝達された光の量（Ｉ0）と、試料が試料界面内に存在するときにシステムを通して伝達された光の量（Ｉ）との比率の負ログを取ることにより、試料の吸収度を測定する。正常状態下で、試料が試料界面内に存在するときにシステムを通して伝達された光の量は、ランベルト＝ベールの法則に従って、試料の経路長及び濃度に正比例する。
【発明の概要】
【発明が解決しようとする課題】
【０００６】
しかしながら、場合によっては、システムを通して伝達された光の量が、破損または変形した試料カラム、界面上での試料の誤配置、及び試料内の気泡を含む物理的要因により影響を受ける状態が存在する。ほとんどの事例において、これらの要因は、ユーザピペット誤差により生じる。これらの事例において、光伝達界面からの光は、試料により吸収され、かつ試料の経路長及び濃度にもはや正比例しない受光界面に進入する光の量を生じるその元のビーム経路から散乱または歪曲される。最終結果は、関心液体試料の不正確な光度測定である。
【０００７】
これらの状態の検出は、非常に小さい経路長に部分的に起因して困難である。したがって、液体試料のカラムの画像分析の画像分析システムが必要である。
【課題を解決するための手段】
【０００８】
一実施形態において、画像分析システムは、中心部と台座との間に配設された液体試料のＹＵＶ色画像を収集するビデオカメラであって、色画像が、中心部と台座との間の光ビーム経路を通して光源が光を照らしている間に収集される、ビデオカメラと、ｉ）ＹＵＶ色画像から濃淡（グレースケール）成分画像及び光散乱成分画像を得るように、かつｉｉ）濃淡成分画像の少なくとも１つの二値画像及び光散乱成分画像の少なくとも１つの二値画像を得るように適合されている、処理装置と、を含む。処理装置は、中心部及び台座の位置を含む関心領域を濃淡成分画像から検出するようにさらに適合され得る。画像分析システムは、薄灰色の均一な反射性背景、例えば、８２％の輝度及び１２％の光沢の薄灰色の均一な反射性背景等の均一な反射性背景を含み得る。
【０００９】
いくつかの実施形態において、ビデオカメラは、カメラビデオストリームからＹＵＶ色画像を収集し得る。それらの具体的な実施形態において、処理装置はＹＵＶ色画像のＹ成分の平均から濃淡（グレースケール）成分画像を得るように、かつＹＵＶ色画像の最大Ｕ成分から光散乱成分画像を得るようにさらに適合され得る。
【００１０】
一定の実施形態において、濃淡成分画像の少なくとも１つの二値画像は、濃淡成分画像内の左右背景変動閾値間の補間から得られた動的閾値を適用することから得られた濃淡成分画像の第１の二値画像を含み得る。それらの具体的な実施形態において、濃淡成分画像の少なくとも１つの二値画像は、濃淡等方性勾配画像の第２の二値画像を含み得、濃淡等方性勾配画像は、濃淡成分画像と、等方性勾配画像背景雑音統計に基づく静的閾値とを用いて得られる。それらの具体的な実施形態のいくつかにおいて、濃淡成分画像の少なくとも１つの二値画像は、第１及び第２の二値画像の組み合わせから得られた合成二値画像を含み得る。処理装置は、液体試料のカラムの位置及び光ビーム経路の位置を合成二値画像から検出するようにさらに適合され得る。処理装置はまた、カラムの歪み及び／または完全性（integrity）を合成二値画像から検出するようにさらに適合され得る。
【００１１】
別の実施形態において、画像分析方法は、中心部と台座との間に配設された液体試料のＹＵＶ色画像を収集することであって、色画像が、中心部と台座との間の光ビーム経路を通して光源が光を照らしている間に収集される、収集することを含む。本方法はさらに、ＹＵＶ色画像から濃淡成分画像及び光散乱成分画像を得ることと、濃淡成分画像の少なくとも１つの二値画像及び光散乱成分画像の少なくとも１つの二値画像を得ることとを含む。次に、本方法は、中心部及び台座の位置を含む関心領域を濃淡成分画像から検出することと、画像分析要約をディスプレイに報告することとを含む。ＹＵＶ色画像を収集することは、ＹＵＶ色画像をカメラビデオストリームから収集することを含み得る。濃淡成分画像を得ることは、ＹＵＶ色画像のＹ成分を平均化することを含み得る。光散乱成分画像を得ることは、ＹＵＶ色画像の最大Ｕ成分を選択することを含み得る。そこから得られた濃淡成分画像、光散乱成分画像、及び二値画像の加工が、上に記載されている。
【００１２】
また別の実施形態において、画像分析システムは、中心部と台座との間に配設された液体試料の画像を収集するビデオカメラであって、画像が、中心部と台座との間の光ビーム経路を通して光源が光を照らしている間に収集される、ビデオカメラと、画像を用いて、液体試料のカラム内のいかなる気泡も検出するように適合されている、処理装置と、を含む。本明細書に記載した実施形態のいずれかにおいて、中心部と台座との間の光ビーム経路を通して光を照らす光源の一例は、中心部と台座との間の光ビーム経路にわたる光を照らす光源である。画像は、ＹＵＶ色画像であり得、処理装置は、ｉ）ＹＵＶ色画像から濃淡成分画像及び光散乱成分画像を得るように、かつｉｉ）濃淡成分画像の少なくとも１つの二値画像及び光散乱成分画像の少なくとも１つの二値画像を得るようにさらに適合され得る。濃淡成分画像の少なくとも１つの二値画像は、濃淡成分画像内の左右背景変動閾値間の補間から得られた動的閾値を適用することから得られた濃淡成分画像の第１の二値画像を含み得る。いくつかの実施形態において、濃淡成分画像の少なくとも１つの二値画像は、濃淡等方性勾配画像の第２の二値画像を含み得、濃淡等方性勾配画像は、濃淡成分画像と、等方性勾配画像背景雑音統計に基づく静的閾値とを用いて得られる。濃淡成分画像の少なくとも１つの二値画像は、第１及び第２の二値画像の組み合わせから得られた合成二値画像を含み得る。処理装置は、液体試料のカラムの位置及び光ビーム経路の位置を合成二値画像から検出するようにさらに適合され得る。いくつかの実施形態において、処理装置は、濃淡成分画像と光散乱成分画像の少なくとも１つの二値画像との両方を用いて液体試料のカラム内の気泡を検出するようにさらに適合され得る。濃淡成分画像を用いることは、濃淡成分画像から得られた濃淡等方性勾配画像にリング検出フィルタを適用することを含み得る。少なくとも１つの二値光散乱成分画像を用いることは、光散乱成分画像の少なくとも１つの二値画像にモルフォロジカルフィルタを適用することを含み得る。一定の実施形態において、処理装置は、濃淡成分画像、光散乱成分画像の少なくとも１つの二値画像、及び光ビーム経路の算出された位置を用いて、光ビーム経路内の気泡を光ビーム経路から出た気泡と区別するようにさらに適合され得る。
【００１３】
また別の実施形態において、画像分析方法は、中心部と台座との間に配設された液体試料の画像を収集することであって、画像が、中心部と台座との間の光ビーム経路を通して光源が光を照らしている間に収集される、収集することと、液体試料のカラムの位置及び光ビーム経路の位置を画像から検出することと、画像を用いて、液体試料のカラム内のいかなる気泡も検出することと、画像分析要約をディスプレイに報告することと、を含む。液体試料の画像を収集することは、ＹＵＶ色画像を収集することと、ＹＵＶ色画像から濃淡成分画像及び光散乱成分画像を得ることと、濃淡成分画像の少なくとも１つの二値画像及び光散乱成分画像の少なくとも１つの二値画像を得ることと、を含み得る。濃淡成分画像の少なくとも１つの二値画像は、濃淡成分画像内の左右背景変動閾値間の補間から得られた動的閾値を適用することから得られた濃淡成分画像の第１の二値画像を含み得る。いくつかの実施形態において、濃淡成分画像の少なくとも１つの二値画像は、濃淡等方性勾配画像の第２の二値画像を含み得、濃淡等方性勾配画像は、濃淡成分画像と、等方性勾配画像背景雑音統計に基づく静的閾値とを用いて得られる。一定の実施形態において、濃淡成分画像の少なくとも１つの二値画像は、第１及び第２の二値画像の組み合わせから得られた合成二値画像を含み得る。いくつかの実施形態において、本方法は、液体試料のカラムの位置及び光ビーム経路の位置を合成二値画像から検出することをさらに含み得る。一定の実施形態において、液体試料のカラム内のいかなる気泡も検出することは、濃淡成分画像と光散乱成分画像の少なくとも１つの二値画像との両方を用いることを含み得る。濃淡成分画像を用いることは、濃淡成分画像から得られた濃淡等方性勾配画像にリング検出フィルタを適用することを含み得る。少なくとも１つの二値光散乱成分画像を用いることは、光散乱成分画像の少なくとも１つの二値画像にモルフォロジカルフィルタを適用することを含み得る。一定の実施形態において、本方法は、濃淡成分画像、光散乱成分画像の少なくとも１つの二値画像、及び光ビーム経路の算出された位置を用いて、光ビーム経路内の気泡を光ビーム経路から出た気泡と区別することをさらに含み得る。
【００１４】
本発明は、システムを通して伝達された光の量が、破損または変形した試料カラム、界面上での試料の誤配置、及び試料内の気泡を含む、物理的要因により影響を受ける状態の検出を可能にすること等の多くの利点を有する。
【図面の簡単な説明】
【００１５】
【図１Ａ】先行技術の分光光度計内の光経路の切り取り区分の図である。
【図１Ｂ】液滴（カラム）の形態での試料が、２つの平坦な界面表面間の区画内に含有される、分光光度計の概略図である。ＵＶ光源が、上部（中心部）の上に配置され、分光測光検出器が、デバイスの下部（台座）の真下にある。光経路は、源と検出器との間に構築され得る。ビデオカメラは、背景に対する液滴の色画像を収集する。
【図２】測定区画の元の高解像度カメラ画像を示す。示されている矩形領域は、その灰色背景の大きい部分を含む画像の全ての必要な特徴部を捕捉するのに十分大きい、初期関心領域（ＲＯＩ）を示す。
【図３】図３Ａ〜図３Ｃは、２つの界面表面（中心部及び台座）間に良好な光経路を提供する正常な液体カラムの例を示す。
【図４】図４Ａ〜図４Ｃは、液体カラムの第１の種類の可能性のある不良−２つの界面表面間に光経路を部分的にのみ提供するか、または全く提供しない、歪曲（図４Ａ）及び偏心（図４Ｃ）カラムの例を示す。
【図５】図５Ａ〜図５Ｃは、第２の種類の不良−気泡または他の含有物の表面からの反射により生じた散乱光の例を示す。気泡は、空気（またはガス）から生成され、分光光度測定を損なう不良であると見なされる。
【図６】図６Ａ〜図６Ｃは、２つの終端状態−破損カラム（２滴に分割された）（図６Ａ及び６Ｂ）または界面表面間の空所／空間（図６Ｃ）の例を示す。これらの状態で分光光度測定を行うことはできない。
【図７】図７Ａ〜図７Ｃは、画像分析のために使用される成分画像抽出を図示する。図７Ａは、カメラ源色画像のＲＯＩ部である。図７Ｂは、図７Ａから抽出された濃淡（強度）成分である。図７Ｃは、その抽出された相補的光散乱成分（散乱光測定のために使用される）である。
【図８Ａ】カメラビデオストリーム及び濃淡からの画像収集、ならびにＹＵＶ色画像からの光散乱成分画像抽出のフローチャートである。
【図８Ｂ】カラム画像分析方法のフローチャートである。
【図９】元のカメラ画像の濃淡（ルマ）成分を含有する、抽出された初期ＲＯＩ画像を示す。
【図１０】初期濃淡ＲＯＩ画像（図９から）のヒストグラムを示す。最大の山部は、背景強度を表す。ＴminとＴmaxとの間の線引きした領域は、選択された背景強度範囲を示す。
【図１１】濃淡画像上の背景領域を図示する。選択された範囲に整合する閾値を用いて点描することにより、背景画素をマークする。関心特徴部を背景としてマークすることを防ぐために、背景強度範囲が過小評価されていることに留意されたい。
【図１２】特徴部を有するＲＯＩの水平部を、濃淡画像（図１１）からの累積プロファイルを用いて抽出する方法を図示する。画像の各垂直カラムに対する画素値の要約により、プロファイルを生成する。プロファイルプロット上の谷部と山部との間の良好な比率を得るために、背景値を画素値から差し引く。標的領域は、プロファイル内の隆起した中央台地状部を表す。
【図１３】加工のために使用され、かつ中心部及び台座等の区画特徴部のＲＯＩをさらに抽出した濃淡画像の抽出された水平部を示す。
【図１４】水平勾配フィルタを濃淡画像（図１３から）に適用した結果を表す。２つの主縁部−１つは中心部（上水平縁部１４２０）について、２つ目は台座（下水平縁部１４１０）についてのものである−をハイライト表示する。
【図１５】ＲＯＩの垂直部を、濃淡画像（図１１）からの累積プロファイルを用いて抽出する方法を示す。画像の各水平カラムの画素値の合計により、プロファイルを生成する。標的ＲＯＩの垂直部分は、中心部及び台座の水平縁部を表す、２つの最も高い山部間に存在する。
【図１６】機器界面領域のさらなる抽出のために使用される抽出された濃淡ＲＯＩ画像を示す。
【図１７】対角（４５度）勾配フィルタを適用した後の結果として生じた画像を示し、かつ線セグメント（白色で示す）により適合された上円錐状中心部表面の抽出された右対角縁部を示す。
【図１８】対角（１３５度）勾配フィルタを適用した後の結果として生じた画像を示し、かつ線セグメント（白色で示す）により適合された左円錐状中心部表面の抽出された右対角縁部を示す。抽出された縁セグメントの２つの端部間の距離（画素で）は、図１１に示した中心部径１１１０の測定単位として機能する。次に、試料区画領域の正確な抽出のために、測定された中心部径１１１０を使用する。
【図１９】中央配置され（光経路軸に相対して）、かつ画像の両側部上の背景領域の十分な量を有する液体カラム（液滴）が予測される領域のみを含有する最後に抽出されたＲＯＩ濃淡画像を示す。
【図２０】カラム濃淡画像の二値化（閾値化による）を図示する。背景パラメータが算出された画像の両水平側部上の矩形領域（白矩形）を示す。二値化閾値を設定するために、それらのパラメータを使用する。点描領域でハイライト表示された結果（二値画像前景を表す）が、多くの切り離されたセグメントを有することに留意されたい。それらのセグメントをカラム形状へと結合させることは困難である。
【図２１】単に一列の濃淡画像のための動的閾値化技術を図示する。２つの背景領域（灰色でマークされた左右）からの画素強度値の平均値及び累積標準偏差（σ）を用い、かつ上下帯域閾値間の線形補間を適用することにより、閾値帯域を生成する。帯域幅は、６σである。帯域を上回る（かつ下回る）強度を有する画素が、二値前景に割り当てられる。画像の左右部間の画像輝度の差に留意されたい。
【図２２】等方性勾配フィルタを適用することにより得られた勾配画像を示す。画像二値化のために閾値を算出するために使用される背景領域を用いて、勾配輝度の標準偏差を算出する。強度が算出された閾値を上回る全ての画素が、二値前景（勾配画像の上の点描された重なり部分として示されている）に割り当てられる。
【図２３】合成二値画像を生成するために、１つは濃淡画像から、もう１つは勾配画像（図２２）からの２つの二値前景画像を組み合わせた結果を示す。結果として生じた二値画像を改善する−カラム形状を回復することがここで非常に容易になる。
【図２４】二値画像の上下罫線への２つの水平前景縞模様のさらなる適用による濃淡画像の上で重ね合わされた合成二値画像を示す。それは、カラムの左右縁部をさらに結合させることを可能にする。
【図２５】孔充填演算子を二値画像に適用し、かつ罫線に近傍する人工縞模様を除去した結果を示す。それに続くモルフォロジカルフィルタ処理は、残差を除去し、前景縁部を平準化する。
【図２６】理論的光経路（３Ｄ空間内の円筒の断面）を表すカラム形状へと矩形を適合させた結果を示す。
【図２７】画像の上の特徴的な気泡による液体カラム内の不良の一例を示す。
【図２８】リング形状の特徴部になる上の気泡による濃淡画像の勾配画像を示す。
【図２９】図２９Ａ〜図２９Ｂは、リング検出フィルタカーネル（９×９画素サイズ）を図示する。図２９Ａは、フィルタの３Ｄ幾何学的形状を図示し、図２９Ｂは、９×９マトリクス（図示のために、マトリクス値を１００で乗ずる）としてのそのデジタル近似値である。フィルタの３Ｄ形状は、その周囲の周りの隆起した円形台地状部、及び中央内の負の円形空洞領域を表す。カーネルの残部は、０の強度値に設定される。フィルタは、リング形状の特徴部の強度を測定することを可能にする強度勾配画像（図２７参照）上のリング状粒子と相関するように設計される。
【図３０】図３０Ａ〜図３０Ｂは、単一画像列：勾配画像（図３０Ａ−１）へのリングフィルタの適用を図示し、その列プロファイル（図３０Ａ−２）が左上内に示される。下に示した式を用いることにより、リングフィルタ（右上）を全ての列画素に適用し、Ｋjは、カーネル位置ｊ内のカーネル係数であり、Ｐiは、列位置ｉ内の画素強度であり、Ｆiは、位置ｉ内の結果値である。リングフィルタを全ての画像列に適用する。図３０Ｂ−１は、その断面列による結果として生じた画像を示す。勾配画像（上に矢印でマークされた）上のリング形状の特徴部に対応する図３０Ｂ−２に示した結果山部に留意されたい。
【図３１】光散乱二値画像を青色度成分画像から得ることを図示する。最初に、背景領域の標準偏差を用いて、二値化閾値値を算出し、閾値を用いて、画像を二値化する。モルフォロジカル閉塞フィルタを用い、続いて小さい前景特徴部を除去することにより、結果として生じた二値画像をクリアする。
【図３２】図３２Ａ〜図３２Ｂは、破損カラムの事例を図示する。図３２Ａは、初期に抽出されたＲＯＩ画像である。図３２Ｂは、２つの破損片（点描することによりハイライト表示された）を正しく検出する分析アルゴリズムの適用の結果を示す（二値）画像である。
【図３３】液体カラムの例示的な画像である。
【図３４】図３３に示した画像の結果として生じた勾配画像である。
【図３５】図３３に示した画像の結果として生じた二値画像である。
【図３６】気泡による液体カラムの例示的な画像である。
【００１６】
同様の符号は、図のいくつかの図全体を通して対応する成分を指す。
【発明を実施するための形態】
【００１７】
本明細書中の本発明の説明において、別段、黙示的または明示的に理解または記載されない限り、単数で現れる単語は、その複数の相手方を包含し、複数で現れる単語は、その単数の相手方を包含することが理解される。さらに、別段、黙示的または明示的に理解または記載されない限り、本明細書に記載した任意の所与の成分または実施形態について、その成分に対して列挙された可能性のある候補または代替物のいずれかが、概して、個々にまたは互いに組み合わせて使用され得ることが理解される。さらに、本明細書で示した図は、必ずしも縮尺通りに描画されておらず、要素のいくつかは、単に本発明を明確にするために描画されている場合があることが理解されるべきである。また、対応するか、または類似する要素を示すために、種々の図の中で符号が繰り返されている場合がある。さらに、別段、黙示的または明示的に理解または記載されない限り、かかる候補または代替物のいかなる列挙も、単なる図示であり、限定ではないことが理解されるだろう。加えて、別段の表示がない限り、明細書及び特許請求の範囲中に使用された材料、構成要素、反応状態等の分量を明示する数は、「約」という用語により修飾されるものとして理解されるべきである。
【００１８】
したがって、反対の表示がなされない限り、明細書及び添付の特許請求の範囲中に記載された数的パラメータは、本明細書中に提示された主題事項により得られることが求められる所望の特性に応じて変化し得る近似値である。最低でも、特許請求の範囲に対する等価物の原則の適用を限定することを企図しないように、各数的パラメータは、少なくとも、報告された有意な数字の数に照らして、かつ通常の丸め技術を適用することにより、解釈されるべきである。本明細書中に提示された主題事項の広範な範囲を記載している数値範囲及びパラメータは近似値であるにも関わらず、具体的な例に記載された数値は、できる限り精確に報告されている。しかしながら、任意の数値は、本質的に、それぞれの試験的測定において見られた標準偏差から必然的に生じる一定の誤差を含有している。
【００１９】
ＮａｎｏＤｒｏｐ（商標）（Ｔｈｅｒｍｏ  Ｅｌｅｃｔｒｏｎ  Ｓｃｉｅｎｔｉｆｉｃ  Ｉｎｓｔｒｕｍｅｎｔｓ、Ｍａｄｉｓｏｎ  ＷＩ）等のＵＶ／Ｖｉｓ分光計の需要が高まるにつれ、液体試料（滴）の表面張力上で、上で考察したような依拠するその測定技術の信頼性を向上させるべき要望がある。問題は、液滴（カラム）の分光測定が、測定中に液体カラム形状及びその位置の不均一性により損なわれ得ることである。液体カラムが変形（歪曲）され得、偏心（機器の光経路に対して）は、気泡もしくは他の含有物を含有し得、または液体カラムが破損されることもあり得る。現在入手可能な機器は、これらの問題を自動的に特定及び報告する能力がないと同時に、液滴形状の目視検査が非常に限定的で信頼できない。本明細書中に記載した設計は、液体カメラに焦点を当てた試料区画の前に高解像度ビデオカメラを含み、液体カラムの不良を自動的に特定し、かつそれを機器演算子に報告するために、コンピュータ視覚アルゴリズムを使用する。画像分析システムはまた、測定を損なう気泡液体により生じた散乱光の測定及び報告を含む。ビデオカメラ及び分光計は、共に同期化され、全ての分光測定は、カラム画像品質測定法を伴う。
【００２０】
図１Ｂは、液滴（カラム９）の形態の試料が、２つの平坦な界面表面２及び７（区画）間に含有された、分光光度計１００を示す。光源１０は、上部（中心部２）上に配置され、分光測光検出器２０は、デバイスの下部（台座４）の真下にあり、光経路３０は、それらの間に構築され得る。
【００２１】
測定の品質は、光ビーム３がそれを通過している時間中に測定された液体カラム９の品質に依存する。カラム９の品質は、間隙（２つの界面表面２及び７間の距離）が過度に狭い−１ｍｍ以下であるため、視覚的に分析するのが非常に困難である。
【００２２】
可能性のあるカラム不良を、下記の分類で要約することができる。
【００２３】
歪曲及び偏心カラム。この不良の例は、図４Ａ〜図４Ｃに提示されている。
【００２４】
含有物を含むカラムの気泡カラム。例えば、図５Ａ〜図５Ｃを参照されたい。
【００２５】
破損カラムまたは空き区画（液滴なし）。これは、末端不良である−カラム品質測定は行われないだろう。例えば、図６Ａ〜図６Ｃを参照されたい。
【００２６】
図１Ｂに戻ると、ビデオカメラ４０は、中心部２と台座４との間に配設された液体試料９のＹＵＶ色画像を収集し、色画像は、液体カラム９の品質の検査のために中心部２と台座４との間の光ビーム経路３０にわたって光源１０が光３を照らしている間に収集される。カメラ４０は、機器台座４上に取り付けられ、液体カラム９の形成が予測される２つの光伝達界面２及び７間の間隙内に焦点が当たる。図２は、典型的なビデオカメラ画像を示す。図１Ｂに戻ると、カメラ視野は、背景６０も生成するカバー５０により直接的な周囲光から遮蔽される。背景６０の表面は、均一な反射性材料から作製され、薄（約８２％の輝度及び１２％の光沢）灰色を有する。背景表面６０は、拡散（ランバーシアン）反射率を生成するための写真内で使用される灰色カードと類似している。背景表面の薄灰色の均一な反射性背景は、光沢を最小限にし、背景を均一にして、カメラにより画像が取得されるときに強度ヒストグラム上に狭いガウシアン形状の山部を生成する。
【００２７】
カメラビデオを機器の演算子により検査することができるが、より正確かつ便利な方法は、機械視覚アルゴリズムを使用することである。処理装置７０は、ｉ）ＹＵＶ色画像から濃淡成分画像及び光散乱成分画像を得るように、かつｉｉ）濃淡成分画像の少なくとも１つの二値画像及び光散乱成分画像の少なくとも１つの二値画像を得るように適合されている。
【００２８】
散乱光は、ガスまたは空気の気泡等の含有物を含むカラム上でスペクトルを得る間に発せられる。青色波長範囲は、レイリー散乱光の強い（λ-4）波長依存性（より短い波長（青）は、より長い波長（赤）より強くレイリー散乱される）に起因して、散乱光内で支配的な成分である。結果として生じたスペクトル品質は、気泡から反射し、かつ散乱されたビームエネルギーの損失に起因して、損なわれ得る。機械視覚アルゴリズムを適用することにより、散乱光の量を定量的に測定することが可能である。
【００２９】
現代のコンピュータ上で元の色画像を分析することが可能であるが、それは、不要な複雑性及び冗長性を生じる。画像分析のために、２つの強度のみの（濃淡又はグレースケール）画像が、３つの可能な方法のうちの１つで生成される。
【００３０】
１．１つが単に１つの色ＲＧＢ画像（スナップ写真）を有するとき、画像が抽出され、下記の２つの成分画像が生成される。
ａ．元のＲＧＢ画像から赤（Ｒ）及び緑（Ｇ）成分を平均化することにより、濃淡成分（ルマ）画像（Ｌ）が生成される。全てのｘ、ｙ−位置付け画像画素に対して、下記の算出が適用される。
Ｌ（ｘ、ｙ）＝（Ｒ（ｘ、ｙ）＋Ｇ（ｘ、ｙ））／２
ｂ．ＲＧＢ画像から元の青（Ｂ）成分を用い、かつ下記のような全てのｘ、ｙ−位置付け画素に対して下記の相補的画像を算出することにより、青色度成分（光散乱成分に対して）画像（Ｓ）が生成される。
Ｓ（ｘ、ｙ）＝ｍａｘ（０、Ｂ（ｘ、ｙ）−Ｌ（ｘ、ｙ））
【００３１】
２．ＹＵＶ画像フォーマット（アンドロイド／リナックスシステム上で入手可能である）の事例において、２つの成分画像の算出は、次のようである。
ａ．濃淡成分画像は、元のＹＵＶ画像のＹ（ルマ）成分、すなわち：Ｌ（ｘ、ｙ）＝Ｙ（ｘ、ｙ）である。
ｂ．ＹＵＶ画像からＵ−色度成分を用い、かつ全てのｘ、ｙ−位置付け画素（ｘ、ｙ）＝ｍａｘ（０、Ｕ（ｘ、ｙ）−１２８）に対して下記の相補的画像を算出することにより、光散乱成分画像Ｓが生成される。
【００３２】
３．変化するフラシュ光のＹＵＶ  画像の順序が、図８Ａに示したフローチャート（図８Ｂのステップ８００）に従って得られたカメラビデオストリームから入手可能である事例において、例えば３つの画像のうち、２つの成分画像の算出が、下記のように行われる。
ａ．かかる順序（図８Ｂのステップ８０１）から元のＹＵＶ画像の全ての入手可能なＹi（ルマ）成分の平均として、濃淡成分画像が算出され、すなわち：
Ｌ（ｘ、ｙ）＝（Ｙ1（ｘ、ｙ）＋Ｙ2（ｘ、ｙ）＋Ｙ3（ｘ、ｙ））／３
ｂ．Ｓi（ｘ、ｙ）を、上の式（２．ｂ参照）を用いてＵi−成分から算出された画素（ｘ、ｙ）でのｉ−画像に対する光散乱（青色度）強度とする。次に、下記のような各画素（ｘ、ｙ）に対して全ての入手可能な最大のＳi（ｘ、ｙ）を取ることにより、Ｓ（ｘ、ｙ）光散乱成分画像が算出される。
Ｓ（ｘ、ｙ）＝ｍａｘ（Ｓ1（ｘ、ｙ）、Ｓ2（ｘ、ｙ）、Ｓ3（ｘ、ｙ））
【００３３】
フラッシュ発生モーメントに対応する最大散乱光を得るために、最大のＳi（ｘ、ｙ）を使用する。
【００３４】
２つの成分に分割された画像の図についての図７Ｂ及び図７Ｃを参照されたい。図７Ａは、源カメラ色画像の断片である。図７Ｂは、源ＲＧＢ画像から抽出された濃淡成分画像であり、図７Ｃは、その光散乱成分である。
【００３５】
下記のステップは、液体カラム分析アルゴリズムを形成する。
【００３６】
１．Ｍ×Ｎサイズの濃淡画像Ｌを以下のような画素ｇi，jからなるようにさせる。
【数１】
2018535393.tif 000003
換言すると、ｇi，jは、画像矩形領域であり、その値（強度）は、０〜２５５の範囲であり得る。
【００３７】
２．抽出された濃淡画像Ｌ（図９）を用いて、源画像の全ての画素の図１０に示したヒストグラムを算出する。画像ヒストグラム（図１０）の最大の強度山部を用いた画像背景強度範囲（Ｔmin、Ｔmax）を見出す。背景は、ガウシアン強度分布と均一であると想定され、背景領域は、抽出された灰色画像の少なくとも５０％を取ると想定される。ヒストグラムパラメータ：背景品質を評価するための山部位置及びその幅を確認する。山部位置が４０未満（過度に暗い）か、もしくは２１０（過度に明るい）超であるか、または山部幅が８０超である場合、次に、背景が乏しいことを報告し、画像分析の残部をスキップする。（図８Ｂのステップ８０３及び８０４）。
【００３８】
３．各画像カラムに沿った（画素値−背景値）の絶対値の合計により、水平累積プロファイルを生成する。すなわち、以下のように、Σjδi,jを算出する。
【数２】
2018535393.tif 000004
【００３９】
４．図１１に示した画像に対して算出された累積プロファイルの一例については図１２を参照されたい。
【００４０】
５．プロファイル（図１２参照）内の台地状部強度の縁部を見ることにより、機器中心部（上部、図１１参照）の左右縁部を見出す。それらは、濃淡画像上の中心部の位置及びその直径に対応し、関心領域（ＲＯＩ）抽出のために使用される。
【００４１】
６．図１３に示すような両側部上のさらなる延長部を含む見出された特徴部（中心部及び台座）を包含する新規ＲＯＩ画像を抽出する。
【００４２】
７．下水平中心縁部１４２０及び上水平台座縁部１４１０を見出し、それにより中心部及び台座の位置を含む関心領域を図１４に示すような濃淡成分画像から検出するために、水平勾配（ゾーベル演算子、その全体的な内容及び教示が、その全体が参照により本明細書に組み込まれる、Ｄｉｇｉｔａｌ  Ｉｍａｇｅ  Ｐｒｏｃｅｓｓｉｎｇ，Ｒａｆａｅｌ  Ｃ．Ｇｏｎｚａｌｅｚ  ａｎｄ  Ｒｉｃｈａｒｄ  Ｅ．Ｗｏｏｄｓ，２nd  Ｅｄ．，Ｐｒｅｎｔｉｃｅ  Ｈａｌｌ、２００２（以後、「Ｇｏｎｚａｌｅｚ」）の５７８頁を参照されたい）フィルタを、抽出されたＲＯＩ濃淡画像に適用する。
【００４３】
８．ｇ’i,jがｉ、ｊ位置での勾配画像の画素強度である、Σjｇ’i,jである各画像列に沿った画素値の合計により図１４に示す勾配画像の図１５に示す垂直累積プロファイルを生成する。
【００４４】
９．垂直累積プロファイル（図１５）上の２つの主な強度山部１５１０及び１５２０を見出す。その右（最も高い）山部１５２０は、中心部の下縁部（上境界または上水平縁部）に対応し、左（第２の強度）山部１５１０は、台座の上縁部（下境界または下水平縁部）に対応する。
【００４５】
１０．前のステップで見出された境界を用いて、さらなる加工（図１６）のためにＲＯＩサブ画像の垂直部を抽出する。
【００４６】
１１．ＲＯＩ画像（図１６）の上の中心部の右縁部を見出す。画像上に４５度対角勾配フィルタを適用する。右対角縁部１７１０（図１７）に対する最適な最小二乗適合を見出すことにより、勾配強度画素の右上組を対角線セグメントと適合させる。
【００４７】
１２．継続して中心部の左縁部を見出す。１３５度対角勾配フィルタを適用する。最適な最小二乗適合を見出すことにより、勾配強度画素の左上組を１３５度対角線セグメントと適合させる。図１８は、適合された中心部左対角縁部１８１０及び右対角縁部１８２０の両方を示す。見出されたセグメントの左右端を用いて、画素１８３０での中心部径、及びＸc、光経路中心１８４０の位置を算出する。算出された中心部径１８３０は、画像（画素）単位による実際の機器座標単位の正確な整合を可能にする。光経路中心Ｘcは、カラム特徴部位置評価のために使用される。
【００４８】
１３．前に見出された中心部対角縁部及び中心部及び台座の実際のサイズの知識を用いて、機器中心部及び台座（図８Ｂのステップ８０５）の両方に対して中央配置された最後のＲＯＩ画像を抽出する。図１９に示すようなより多くの背景領域を含むために、抽出されたＲＯＩ画像の左右上に余分な余白を追加する。
【００４９】
１４．背景が予測される（図２０の白矩形参照）、左背景矩形領域２０１０及び２０２０、ならびに右背景矩形領域２０３０及び２０４０を用いて、画像の左右部に対する背景パラメータを算出する。選択された背景矩形領域は、濃淡画像の異なる部分に対する背景強度範囲の推定を可能にすると同時に、画像の左右部間の照度差の構成を可能にする。
【００５０】
１５．次に、カラムの位置付け及び測定のために使用される便利な二値画像（一例が、図２０に点描された画像の重なり部分として示される）を生成するために、閾値化技術を適用する。二値画像は、各画素に対する２つのみの可能な値を有するデジタル画像である。通常、それらの２つの値は、前景（値＝１）及び背景（値＝０）と呼ばれる。閾値化技術の説明については、Ｇｏｎｚａｌｅｚの５９５頁を参照されたい。
【００５１】
１６．各画素に対する閾値を個々に算出するために、左右背景閾値間の補間を使用する動的閾値化を適用することにより、濃淡ＲＯＩ画像の第１の二値画像を生成する。図２１は、単に一列２１１０の濃淡画像に対する動的閾値化技術を図示する。２つの背景領域２１２０及び２１３０（それぞれ、灰色でマークされた左右矩形）から画素強度値の平均値及び全体的な標準偏差（σ）を用い、かつ上下帯域閾値間の補間を適用することにより、閾値帯域を生成数する。帯域幅は、６σである。帯域を上回る（及び下回る）強度を有する画素が、二値前景に対して割り当てられる。図２１の画像の左右部間の画像輝度の差に留意されたい。左背景領域平均値ＭL２１４５及びその標準偏差をσＴmin＝ＭL−３として用いることにより、左下閾値値Ｔmin２１５０を算出するσ。同じ値をＴmax＝ＭL＋３として用いて、左上閾値Ｔmax２１４０を算出する。σ等価式及び右背景領域平均値ＭR２１６５、ならびにその標準偏差を用いて、右下２１７０及び右上２１６０閾値を算出するσ。図２１に示す例において、値は、ＭL及びＭRの両方に対して、およそＭL＝１１０、ＭR＝９０、及びσ＝３．３である。２つの帯域２１２０及び２１３０との間の列２１１０上の全ての画素に対する上下帯域閾値が、補間により得られる。上帯域閾値２１４０及び２１６０間、ならびに下帯域閾値２１５０及び２１７０間の補間は、それぞれ、図２１に示すような線形補間、またはかかる関数がより高い解像度二値画像を生じる場合、二次的補間等の別の関数であり得る。
【００５２】
１７．図２０に示すハイライト表示された点描領域２０５０は、上に記載した動的閾値化技術を図２１に示す濃淡成分画像の全ての列に適用した後に得られた、図２１に示す濃淡成分画像の第１の二値画像の前景である。二値画像前景２０５０は、実際のカラムの領域から散乱することもある、多くの切り離されたセグメントを有する。この事例において、カラム形状を得るためにそれらのセグメントを結合させることは困難である。第２の二値画像を用いることにより、結合を行うことができる。
【００５３】
１８．同じ濃淡成分画像の等方性勾配を用いることにより、第２の二値画像を生成し、勾配背景統計に基づく静的閾値化を適用する。等方性勾配画像は、ゼロ平均値を有すると想定されるため、選択された左右組の矩形のみを用いて、標準偏差を算出する。統計的±三シグマ（σ）ルールを使用して、二値化に対する閾値を生成する。結果として生じた第２の二値画像が、等方性勾配（暗）画像の上に重ね合わされた図２２に示される。
【００５４】
１９．１つ目は濃淡成分画像から、２つ目は等方性勾配画像（上）からの２つの二値画像を組み合わせて、合成二値画像を生成する。組み合わせは、切り離された前景セグメントからより完全な前景二値画像を生成することを可能にする。図２３は、勾配画像上に重ね合わされた組み合わせ二値画像を示す。
【００５５】
２０．さらなるカラム形状の検出及び前景空洞の充填のために、１つは上２４１０に、もう１つは下２４２０（二値画素を１の値に設定することにより）に、２つの人工前景縞模様２４１０及び２４２０を追加する。図２４は、元の濃淡画像の上に重ね合わされた結果として生じた二値を示す。
【００５６】
２１．モルフォロジカル演算及び孔充填演算を用いて、前景孔を充填し、粗い縁部を平準化する。Ｇｏｎｚａｌｅｚの５２８〜５３６頁を参照されたい。図２５において、濃淡画像の上に重ね合わされた結果として生じた二値画像を示す。
【００５７】
２２．上下水平縁部上の二値画素を背景値（０、透明）に設定することにより、２つの人工縞模様を除去する。次に、ノイズ（図８Ｂのステップ８０６）を構成する小さい特徴部を除去するために、篩い分け用フィルタを適用する。結果として生じた二値画像は、前景重なり部分とカラム形状（図２６参照）との間の良好な整合を生じ、それにより液体試料のカラムの位置光ビーム経路の位置を合成二値画像から検出する。
【００５８】
２３．結合された成分抽出アルゴリズム（Ｇｏｎｚａｌｅｚの５３６頁参照）を用いることにより、結合された前景物体（複数可）を抽出し、それにより、液体試料のカラムの完全性を合成二値画像から評価する。通常、単に１つの物体が、正常な液体カラムと整合する。２つ以上の物体がある場合、破損カラムの事例（一例について図３２参照）である。物体が見出されない場合、空き区画の事例である。後者２つの事例においては、さらなる分析を行うことができず、演算子（図８Ｂのステップ８０７及び８０８）に通知するために、誤差コードが報告される。
【００５９】
２４．カラム形状の領域を（画素で）図２６に示すような検出された二値物体２６１０から算出する。さらに、検出されたカラム二値物体２６１０内に封入された最大領域矩形を見出すことにより、光経路左縁部位置ＸL２６２０及び右縁部位置ＸR２６３０を算出する。差ＸR−ＸLは、光経路径（図８Ｂのステップ８０９）である。偏心パラメータを算出するために、算出された光ビームの中心ＸC１８４０、理論的最大光ビームの半径Ｒo（一実施形態において、Ｒoは、算出された中心部径１１１０の約１／２０に等しい）、カラムＸL２６２０、及びＸR２６３０（封入された矩形垂直縁部位置）を使用する。距離ｍｉｎ（ＸC＋ＲO、ＸR）−ｍａｘ（ＸC−ＲO、ＸL）が１．５ＲO未満である場合、液体試料のカラムの歪み及び偏心状態が、合成二値画像から検出される。半径ＲOの、Ｘcに中央配置された理論的光ビーム経路は、少なくとも１．５光ビーム半径幅の重なりで算出されたカラム光経路（矩形）に適合するべきである。
【００６０】
液体カラム形状の検出のための代替的な画像分析方法は、物体の輪郭を抽出するために緑検出演算子を用いることにより、液体カラム等の関心物体を検出することを含む。これらの演算子は、濃淡画像の光及び暗領域間の画素強度内の差をコンピュータ演算することに基づく。いくつかの基本的な縁検出（勾配）演算子：ゾーベル、ラプシアンガウシアン、ロバーツ、プルウィット、または複合キャニーアルゴリズムが適用され得る。最後は、ノイズ抑制及び動的閾値化／二値化を含む、いくつかのステップからなる。Ｃａｎｎｙ，Ｊ．，“Ａ  Ｃｏｍｐｕｔａｔｉｏｎａｌ  Ａｐｐｒｏａｃｈ  Ｔｏ  Ｅｄｇｅ  Ｄｅｔｅｃｔｉｏｎ”，ＩＥＥＥ  Ｔｒａｎｓ．Ｐａｔｔｅｒｎ  Ａｎａｌｙｓｉｓ  ａｎｄ  Ｍａｃｈｉｎｅ  Ｉｎｔｅｌｌｉｇｅｎｃｅ，Ｖｏｌ．８（６）：６７９〜６９８、１９８６（以後「Ｃａｎｎｙ」）を参照されたく、該開示の全体は、参照により本明細書に組み込まれる（しかしながら、組み込まれた参照の何らかが本願に述べられた何らかと相反する場合、本願が優先する）。
【００６１】
しかしながら、図３３に示す液体カラムのぼやけた画像の例等、ぼやけたノイズの多い画像を扱うときに、これらの勾配−閾値方法の全てが基準に達しない可能性がある。ゾーベル縁部検出器演算子を図３３に示すぼやけた画像に適用した後に得られた結果として生じた勾配画像は、図３４に示すように、カラムの縁部（光の縞模様）を露わにするが、下部上で洗い落される。閾値化／二値化後に、図３５に示す結果として生じた二値画像（点描された重なり部分）は、追加の突起によるいくつかの不連続部を含有する。連続的輪郭（形状）を検出することができない理由は、勾配または縁部検出器演算子が、３×３、５×５等の局部画像領域（窓）内で演算し、画素幅領域、よってこれらの演算子が、物体の輪郭形状についての「高」レベルの構造的情報を見逃すことである。
【００６２】
能動的輪郭追跡（「スネーク」とも称される）方法を用いて、切り離されるか、またはノイズの多い（突起の多い）輪郭結果に対処することができる。Ｋａｓｓ，Ｍ．；Ｗｉｔｋｉｎ，Ａ．；Ｔｅｒｚｏｐｏｕｌｏｓ，Ｄ．“Ｓｎａｋｅｓ：Ａｃｔｉｖｅ  ｃｏｎｔｏｕｒ  ｍｏｄｅｌｓ”Ｉｎｔｅｒｎａｔｉｏｎａｌ  Ｊｏｕｒｎａｌ  ｏｆ  Ｃｏｍｐｕｔｅｒ  Ｖｉｓｉｏｎ，Ｖｏｌ．１（４）：３２１、１９８８を参照されたく、該開示の全体は、参照により本明細書に組み込まれる（しかしながら、組み込まれた参照の何らかが本願に述べられた何らかと相反する場合、本願が優先する）。能動的輪郭追跡方法は、縁部検出器演算子の組み合わせであり、その後、その連続性及び平準さ等の輪郭曲線特性を用いた結果（二値化）の輪郭追跡が続く。能動的輪郭方法は、輪郭曲線に適用された内部力と外部力との加重組み合わせを表すエネルギー汎関数を用いるという考えに基づいている。内部力は、輪郭の物理的特性（弾性及び曲げ）により支配され、外部力は、画像特性（勾配）から生じる。エネルギー汎関数の最適値（最小値）を見出すことにより、問題を解決する。総エネルギー汎関数が、パラメータ化された輪郭Ｃ［０，１］の全体的な範囲にわたる下記の定積分として定義される。
Ｅ*v＝∫CＥac（ｖ（ｓ））ｄｓ＝∫CＥin（ｖ（ｓ））＋Ｅex（ｖ（ｓ））ｄｓ
【００６３】
Ｅin（ｖ（ｓ））は、弾性及び曲げに起因する能動的輪郭の内部エネルギーを表し、Ｅex（ｖ（ｓ））は、輪郭に適用された外部（画像）力を表す。内部エネルギーは、下記の２項の和として定義される：
Ｅin＝（α｜ｖ’（ｓ）｜2＋β｜ｖ”（ｓ）｜2）／２
【００６４】
係数により制御される一次項は、α能動的輪郭の弾性を調節する。係数により制御される二次項は、β能動的輪郭の剛性を調節する。換言すると、第１の部分は、能動的輪郭を短く保ち（伸縮を妨げる）、第２の部分は、能動的輪郭を真っ直ぐに保つ（曲げを妨げる）。
【００６５】
各（ｘ、ｙ）−画像の位置内の強度の関数を表す濃淡画像Ｌ（ｘ、ｙ）を仮定すると、画像（外部）力は、能動的輪郭を物体縁部に向かわせるように選択され、２つの汎関数（Ｃａｎｎｙ参照）により表され得る：
Ｅex(1)＝−｜∇Ｌ（ｘ、ｙ）｜2
Ｅex(2)＝−｜∇［Ｇδ（ｘ、ｙ）*Ｌ（ｘ、ｙ）］｜2
Ｇδ（ｘ、ｙ）が、標準偏差による二次元ガウシアン関数でありδ、∇は、勾配演算子であり、*は、畳み込み演算子を意味する。換言すると、Ｅex(2)は、平準化されたＬ（ｘ、ｙ）画像の勾配を表す。
【００６６】
二値画像Ｂ（ｘ、ｙ）の事例において、外部力を下記のように定式化することができる：
Ｅex(1)＝~Ｂ（ｘ、ｙ）
Ｅex(2)＝Ｇδ（ｘ、ｙ）＊~Ｂ（ｘ、ｙ）
~Ｂ（ｘ、ｙ）は、逆二値画像を表す。
【００６７】
パラメータδは、濃淡または二値画像のいずれかの平準差を制御し、−δパラメータが大きいほど、画像及びそれらの物体縁部は、ぼやけている。パラメータの目的は、δ能動的輪郭の最適化のために探索範囲を拡張することである。
【００６８】
オイラー−ラグランジュ方程式を用いて、最小のＥ*vを見出すことができる：
αｖ”（ｓ）−βｖ’’’’（ｓ）−∇Ｅex（ｖ（ｓ））＝０
【００６９】
Ｆin＝αｖ”（ｓ）−βｖ’’’’（ｓ）及びＦex＝∇Ｅex（ｖ（ｓ））であるとすると、後者の方程式を力平衡方程式として再定式化することができる。
Ｆin＋Ｆex＝０
【００７０】
Ｆin項は、伸縮及び曲げを妨げる内部力を表し、外部力Ｆex は、能動的輪郭を所望の画像縁部に向かって引っ張る。上の方程式を解くことは、能動的輪郭ｖを時間の関数ｖ（ｓ，ｔ）に変換することを必要とする勾配降下方法により達成される。次に、ｔに対するｖ（ｓ，ｔ）の部分的導関数を、オイラー−ラグランジュ方程式の両側部に適用することができる。何度か反復した後、能動的輪郭（「スネーク」）が最小値に集束したとき、時間に対するその導関数はゼロになり、方程式が解かれる。
∂ｖ（ｓ，ｔ）／∂ｔ＝αｖ”（ｓ，ｔ）−βｖ’’’’（ｓ，ｔ）−∇Ｅex（ｖ（ｓ，ｔ））
【００７１】
パラメータ及びｔを離散化し、かつ方程式を数的に解くことにより、上の方程式の数値解を見出すことができる。
【００７２】
曲線ｖが新規パラメータｒ、すなわちｓ＝φ（ｒ）の関数として黙示的に定義される能動的輪郭モデルの修正がある。次に、定義された制約下で最小（測地）長さの曲線を見出すこととして表され得ると述べた測地形態（ＧＡＣ）の観点から、問題を再定式化することができる。Ｃａｓｅｌｌｅｓ，Ｖ．，Ｋｉｍｍｅｌ，Ｒ．，ａｎｄ  Ｓａｐｉｒｏ，Ｇ．，“Ｇｅｏｄｅｓｉｃ  Ａｃｔｉｖｅ  Ｃｏｎｔｏｕｒｓ”，Ｉｎｔｅｒｎａｔｉｏｎａｌ  Ｊｏｕｒｎａｌ  ｏｆ  Ｃｏｍｐｕｔｅｒ  Ｖｉｓｉｏｎ，Ｖｏｌ．２２（１）：６１−７９、１９９７を参照されたく、該開示は、その全体が参照により本明細書に組み込まれる（しかしながら、組み込まれた参照の何らかが本願に述べられた何らかと相反する場合、本願が優先する）。
【００７３】
別の態様において、下に記載した画像分析技術は、分光測定に影響を与え得る含有物（気泡の形態での）及び散乱光の検出に関する。気泡存在スコアと散乱光強度との組み合わせに有用であることが見出されている２つのパラメータを測定することができる。図２７は、有意な気泡２７１０が画像の上近くにある状態の画像の一例を示す。
【００７４】
気泡含有物の検出のために濃淡成分画像の等方性勾配画像を使用する（図２８参照）。気泡スコアを測定するために、特殊なリング検出フィルタを設計した。図２９Ａ及び図２９Ｂは、９×９画素サイズのカーネルによるリング検出フィルタの一例を示す。図２９Ａは、フィルタの３Ｄ連続的代表図を示し、図２９Ｂは、９×９マトリクスとしてのそのデジタル近似値を示す（表示のために、マトリクス値を１００で乗ずる）。図２９Ａに示す３Ｄグラフは、その周囲の周りの隆起した円形台地状部及び中心内の負の円形空洞領域を図示する。カーネルの残部を０の強度値に設定する。その形状は、それらの強度スコアを測定することを可能にする等方性勾配画像上のリング状特徴部と相関し、それにより液体試料のカラム内のいかなる気泡も検出する。
【００７５】
リング検出フィルタの単純化した説明を図３０Ａ及び３０Ｂに提示し、リングフィルタを単一画像列（画像の上近くの灰色線３０１０）に適用する。その列プロファイルを含む勾配画像（図３０Ａ−２に示すグラフ）を図３０Ａ−１に示す。リングフィルタ（右上）は、リングフィルタの下に示す式を用いることにより、列での全ての画素に当てはまり、Ｋjは、カーネル位置ｊでのカーネル係数であり、Ｐiは、列位置ｉでの画素強度であり、Ｆiは、位置ｉ内の結果値である。本プロセスを全ての画像列に適用する。図３０Ｂ−１は、その断面列３０２０を含む結果として生じた画像を示す。勾配画像（上に矢印マークされた）上のリング形状特徴部に対応する図３０Ｂ−２に示す結果山部に留意されたい。
【００７６】
下記のステップは、濃淡成分画像及び光散乱成分画像の二値画像の両方を用いて、液体試料のカラム内のいかなる気泡も検出するために使用されるリング／気泡存在スコア算出アルゴリズムを形成する：
【００７７】
１．継続的リング検出フィルタ処理を濃淡成分画像（図２８）から得られた濃淡等方性勾配画像に適用する。
【００７８】
２．結果を累積画像スコアに蓄積する。
【００７９】
３．算出された光経路矩形（図２６に示す、上のステップ２４で得られた２６１０）を用いて、リング検出フィルタ適用領域を制限する。
【００８０】
４．最小リングフィルタサイズ（３×３）から始まり、全ての可能な気泡サイズをカバーするために、それを２（次は５×５である）等だけ、事前定義された最大フィルタ径（例えば、１５×１５）まで増加させる。算出する間、一定の閾値を下回るスコアをスキップして、ノイズに起因した値の蓄積を回避する。勾配画像（図８Ｂのステップ８１０）に対する背景矩形領域の統計に基づいて、ノイズ閾値を算出する。
【００８１】
５．同じＲＯＩ部分（図１９に示す濃淡成分画像のような）を光散乱成分画像から抽出して、見出されたカラム形状の領域内の光散乱強度を推定する。図３１は、光散乱成分強度測定のためのワークフローを示す。除去されたノイズ、及び気泡散乱のみが測定されることに留意されたい。
【００８２】
６．図３１のワークフローに示すように、光散乱成分画像を二値化して、選択された背景矩形領域（正常な事例では青色の存在が予測されないため、ゼロ平均が想定される）に対する算出された標準偏差を用いて算出された閾値を用いて二値光散乱成分画像を形成する。再び、統計的±三シグマ（σ）ルールを使用して、二値化閾値を設定する。次に、形態学的閉塞（モルフォロジカルフィルタ）を適用し、その後、小さい粒子を除去するために篩い分け用フィルタを適用する。次に、二値前景及び算出された光経路矩形を使用して、青成分強度画素が追加された領域を制限する。次に、結果として生じた強度合計を正常化して、１以上の値に対してそれを有意にする（図８Ｂのステップ８１１）。
【００８３】
７．気泡存在スコア及び散乱光強度スコアを確認する。両スコアが１超である場合、次に、不良（図８Ｂのステップ８１２及び８１４）を報告する。
【００８４】
光ビーム経路内の気泡を光ビーム経路から出た気泡と区別するために、算出された光ビーム中心ＸC１８４０、理論的最大光ビーム半径ＲO（一実施形態において、ＲOは、算出された中心部径１１１０の約１／２０に等しい）、カラムＸL２６２０及びＸR２６３０（算出された光経路縁部）を使用する。気泡検出フィルタ及び散乱光スコアの両方に対する算出領域は、下記：左制限がｍａｘ（ＸC−ＲO、ＸL）であり、右制限がｍｉｎ（×C＋ＲO、ＸR）に制限される。算出領域を制限することは、分光測定を変形させると知られている画像の一部内のみに気泡及び光散乱スコア測定を行うことを可能にする。
【００８５】
図３６に示すような気泡を含む液体カラムの画像は、気泡縁部（輪郭）が円形または楕円形状を表すことを示唆している。画像は気泡を含む３Ｄ液体カラムの２Ｄ（投影）画像であるため、気泡のいくつかが閉塞されている可能性があることに留意されたい。円形物体を見出すために、ハフ変換を気泡検出の代替的な方法として使用することができる。Ｆｉｌｉｂｅｒｔｏ  Ｐ．，“Ｒｅｃｏｇｎｉｔｉｏｎ  ｏｆ  Ｐａｒｔｉａｌ  Ｃｉｒｃｕｌａｒ  Ｓｈａｐｅｓ  ｆｒｏｍ  Ｓｅｇｍｅｎｔｅｄ  Ｃｏｎｔｏｕｒｓ”，Ｃｏｍｐｕｔｅｒ  Ｖｉｓｉｏｎ  Ａｎｄ  Ｉｍａｇｅ  Ｕｎｄｅｒｓｔａｎｄｉｎｇ，Ｖｏｌ．６３（２），３３４−３４２、１９９６を参照されたく、該開示は、その全体が参照により本明細書に組み込まれる（しかしながら、組み込まれた参照の何らかが本願に述べられた何らかと相反する場合、本願が優先する）。変換の利点は、ノイズに対する不感受性及び閉塞等に起因した形状変形に対する堅牢性を含む。
【００８６】
円形形状のみを検討するが、ハフ変換は、楕円形状を同様に取り扱うことができる。ハフ変換は、勾配画像の二値化（閾値化）画像または検出された気泡縁部の二値画像に当てはまる。例えば、キャニー演算子は、縁検出のために、かつそれを二値画像に閾値化するために使用され得る。
【００８７】
標準的な円の方程式は、下記の形態を有する：
（ｘ−ａ）2＋（ｙ−ｂ）2＝ｒ2
ｒは、円の半径であり、（ａ，ｂ）は、円の中心の座標である。
【００８８】
ハフ変換は、円の方程式のデジタル携帯に当てはまり、全てのパラメータが、離散：×であり、ｙは、カラムの指標及び二値（０もしくは１）画素のマトリクスの列であり、パラメータａ及びｂはまた、円中心の指標（相対位置）であり、ｒは、画像に適合し、かつ関心の物理的物体（この事例においては、気泡）に結合された円の可能な半径全体に及ぶ。半径は、通常、デジタル画像上の半径１の円の近似値が過度に粗い（それは正方形を表す）ため、１超の値から始まる。次に、全ての二値縁部（輪郭）画素（×i，ｙi）は、３Ｄ（ａ，ｂ，ｒ）パラメータ空間内の円錐の近似値へと変換され得る。全ての輪郭点が円上にある場合、全てのその対応する円錐は、円のパラメータに対応する単一の点（ａi，ｂi，ｒi）と交差するだろう。
【００８９】
空間はデジタルであるため、円の方程式のデジタル形態を満たす円錐は、１つの画素では交差しないが、代わりに、ガウシアン状濃度分布による画素の小クラスタを表し、その中心（最も濃度の高い値）は、結果として生じた（ａi，ｂi，ｒi)円三重項である。分布空間を実行するために、さらなる投票（整数）値ｖが必要とされ、変換の結果は、投票値の３Ｄマトリクスである：
Ｖ＝ｖ（ａ’、ｂ’、ｒ’）、
ａ’は、全ての画像カラム全体に及び、ｂ’は、全ての画像列全体に及び、ｒ’は、関心物体の全ての可能な半径全体に及ぶ。
【００９０】
ハフアルゴリズムの最後及び最大の課題部分は、結果として生じたマトリクスＶ（パラメータ空間）内の極大値の点を見出すことである。通常、それは、最後のマトリクスＶに対するさらなるフィルタを適用することを必要とする。フィルタ化されたマトリクスＶに閾値を適用することにより、結果として生じた極大値の点を見出すことができ、それらは、全ての可能な円形物体を表す。投票技術に起因して、本アルゴリズムは、不完全またはノイズの多い画像に対しても良好に機能する。
【００９１】
表１に示す画像分析要約レポートについて、例示的な値を含む下記のパラメータが、機器の演算子に表示される：
【表１】
2018535393.tif 000005
【００９２】
偏心オフセット：画素でのカラム形状中央オフセットを示す（図１１参照）。中心部及び台座の物理的寸法が既知であるため、画素をメートル単位に翻訳することは容易であることに留意されたい。図２６に示し、上のステップ２４に記載した算出された光経路矩形２６１０は、偏心オフセット算出のために使用される。
【００９３】
光経路径：画素で算出されたカラム光／光経路（封入された円筒）径。その算出の詳細について、上のステップ２４を参照されたい。
【００９４】
光散乱スコア：任意の補助単位で測定された光散乱正常化強度、１以上の値は、通常、気泡／含有物の不良を示す。算出は、上のリング／気泡存在スコア算出アルゴリズムのステップ４に示される。
【００９５】
気泡存在スコア：任意の単位で、１超の値は、気泡の存在を示す。気泡存在スコアは、気泡（不良）カラムを特定するために、光散乱スコアと組み合わせて使用される。パラメータ算出の詳細について、上のリング／気泡存在スコア算出アルゴリズムのステップ４を参照されたい。
【００９６】
カラム特徴領域：画素で算出されたカラム形状の測定された領域。
【００９７】
カラム光経路長：上のステップ２４に記載した画素で算出された光経路矩形の測定された高さ。
【００９８】
平均ＲＯＩ画素強度：露出不足または露出過度の濃淡画像を検出し、かつ二値化閾値を調節するのに有用である平均画像強度（０〜２５５）。
【００９９】
液体カラム分析アルゴリズムは、下記のソフトウエア補完コードを生成する：
【０１００】
未定義：初期ＲＯＩ抽出段階中に分析が中断または失敗した（異常な状態）ことを意味する初期値。
【０１０１】
ＯＫ：正常なカラム、良好な分光読み取りを予測する（図８Ｂのステップ８１３）。
【０１０２】
不良カラム：偏心値、気泡存在スコア、及び光散乱スコアを確認して、理由を特定する（図８Ｂのステップ８１４）。
【０１０３】
空き区画：液体カラムが検出されなかった（図８Ｂのステップ８０８）。
【０１０４】
破損カラム：界面表面間の結合なし（図８Ｂのステップ８０８）。
【０１０５】
カラムが過度に短い：界面表面間の距離が過度に短い（異常な状態）。
【０１０６】
乏しい背景：分析のための画像背景品質が過度に乏しい（異常な状態）（図８Ｂのステップ８０３）。
【０１０７】
本発明は、例示的な実施形態を参照して記載されているが、本発明の範囲から逸脱することなく、種々の変更を行ってもよく、その要素に対する等価物が置換されてもよいことが当業者により理解されるだろう。加えて、特定の機器、状況、または材料を本発明の教示に適合させるための、その本質的な範囲から逸脱することのない、多くの修正が、当業者により理解されるだろう。したがって、本発明は、本発明を実行するために熟考された最良の態様として開示された特定の実施形態に限定されるものでなく、本発明は、添付の特許請求の範囲内に該当する全ての実施形態を含むことを企図している。
【図１Ａ】
2018535393.tif 000006
【図１Ｂ】
2018535393.tif 000007
【図２】
2018535393.tif 000008
【図３Ａ】
2018535393.tif 000009
【図３Ｂ】
2018535393.tif 000010
【図３Ｃ】
2018535393.tif 000011
【図４Ａ】
2018535393.tif 000012
【図４Ｂ】
2018535393.tif 000013
【図４Ｃ】
2018535393.tif 000014
【図５Ａ】
2018535393.tif 000015
【図５Ｂ】
2018535393.tif 000016
【図５Ｃ】
2018535393.tif 000017
【図６Ａ】
2018535393.tif 000018
【図６Ｂ】
2018535393.tif 000019
【図６Ｃ】
2018535393.tif 000020
【図７Ａ】
2018535393.tif 000021
【図７Ｂ】
2018535393.tif 000022
【図７Ｃ】
2018535393.tif 000023
【図８Ａ】
2018535393.tif 000024
【図８Ｂ】
2018535393.tif 000025
【図９】
2018535393.tif 000026
【図１０】
2018535393.tif 000027
【図１１】
2018535393.tif 000028
【図１２】
2018535393.tif 000029
【図１３】
2018535393.tif 000030
【図１４】
2018535393.tif 000031
【図１５】
2018535393.tif 000032
【図１６】
2018535393.tif 000033
【図１７】
2018535393.tif 000034
【図１８】
2018535393.tif 000035
【図１９】
2018535393.tif 000036
【図２０】
2018535393.tif 000037
【図２１】
2018535393.tif 000038
【図２２】
2018535393.tif 000039
【図２３】
2018535393.tif 000040
【図２４】
2018535393.tif 000041
【図２５】
2018535393.tif 000042
【図２６】
2018535393.tif 000043
【図２７】
2018535393.tif 000044
【図２８】
2018535393.tif 000045
【図２９】
2018535393.tif 000046
【図３０】
2018535393.tif 000047
【図３１】
2018535393.tif 000048
【図３２Ａ】
2018535393.tif 000049
【図３２Ｂ】
2018535393.tif 000050
【図３３】
2018535393.tif 000051
【図３４】
2018535393.tif 000052
【図３５】
2018535393.tif 000053
【図３６】
2018535393.tif 000054
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
画像分析システムであって、
ａ．中心部と台座との間に配設された液体試料のＹＵＶ色画像を収集するビデオカメラであって、前記色画像が、前記中心部と前記台座との間の光ビーム経路を通して光源が光を照らしている間に収集される、ビデオカメラと、
ｂ．ｉ）前記ＹＵＶ色画像から濃淡成分画像及び光散乱成分画像を得るように、かつｉｉ）前記濃淡成分画像の少なくとも１つの二値画像及び前記光散乱成分画像の少なくとも１つの二値画像を得るように適合されている、処理装置と、を備える画像分析システム。
【請求項２】
均一な反射性背景をさらに含む、請求項１に記載の画像分析システム。
【請求項３】
前記均一な反射性背景が、薄灰色の均一な反射性背景である、請求項２に記載の画像分析システム。
【請求項４】
前記薄灰色の均一な反射性背景が、８２％の輝度及び１２％の光沢の薄灰色の均一な反射性背景である、請求項３に記載の画像分析システム。
【請求項５】
前記ビデオカメラが、カメラビデオストリームから前記ＹＵＶ色画像を収集する、請求項１に記載の画像分析システム。
【請求項６】
前記処理装置が、前記ＹＵＶ色画像のＹ成分の平均から前記濃淡成分画像を得るようにさらに適合されている、請求項５に記載の画像分析システム。
【請求項７】
前記処理装置が、前記ＹＵＶ色画像の最大Ｕ成分から前記光散乱成分画像を得るようにさらに適合されている、請求項５に記載の画像分析システム。
【請求項８】
前記処理装置が、前記中心部及び前記台座の位置を含む関心領域を前記濃淡成分画像から検出するようにさらに適合されている、請求項１に記載の画像分析システム。
【請求項９】
前記濃淡成分画像の前記少なくとも１つの二値画像が、前記濃淡成分画像内の左右の背景変動閾値間の補間から得られた上側動的閾値及び下側動的閾値を適用することから得られた前記濃淡成分画像の第１の二値画像を含む、請求項１に記載の画像分析システム。
【請求項１０】
前記濃淡成分画像の前記少なくとも１つの二値画像が、濃淡等方性勾配画像の第２の二値画像を含み、前記濃淡等方性勾配画像が、前記濃淡成分画像と、等方性勾配画像背景雑音統計に基づく静的閾値とを用いて得られる、請求項９に記載の画像分析システム。
【請求項１１】
前記濃淡成分画像の前記少なくとも１つの二値画像が、前記第１の二値画像及び前記第２の二値画像の組み合わせから得られた合成二値画像を含む、請求項１０に記載の画像分析システム。
【請求項１２】
前記処理装置が、前記液体試料のカラムの位置及び前記光ビーム経路の位置を前記合成二値画像から検出するようにさらに適合されている、請求項１１に記載の画像分析システム。
【請求項１３】
前記処理装置が、前記液体試料の前記カラムの歪みを前記合成二値画像から検出するようにさらに適合されている、請求項１２に記載の画像分析システム。
【請求項１４】
前記処理装置が、前記液体試料の前記カラムの完全性を前記合成二値画像から評価するようにさらに適合されている、請求項１２に記載の画像分析システム。
【請求項１５】
画像分析方法であって、
ａ．中心部と台座との間に配設された液体試料のＹＵＶ色画像を収集することであって、前記色画像が、前記中心部と前記台座との間の光ビーム経路を通して光源が光を照らしている間に収集される、収集することと、
ｂ．前記ＹＵＶ色画像から濃淡成分画像及び光散乱成分画像を得ることと、
ｃ．前記濃淡成分画像の少なくとも１つの二値画像及び前記光散乱成分画像の少なくとも１つの二値画像を得ることと、
ｄ．画像分析要約をディスプレイに報告することと、を含む画像分析方法。
【請求項１６】
ＹＵＶ色画像を収集することが、前記ＹＵＶ色画像をカメラビデオストリームから収集することを含む、請求項１５に記載の画像分析方法。
【請求項１７】
前記濃淡成分画像を得ることが、前記ＹＵＶ色画像のＹ成分を平均化することを含む、請求項１６に記載の画像分析方法。
【請求項１８】
前記光散乱成分画像を得ることが、前記ＹＵＶ色画像の最大Ｕ成分を選択することを含む、請求項１６に記載の画像分析方法。
【請求項１９】
前記濃淡成分画像の前記少なくとも１つの二値画像が、前記濃淡成分画像内の左右背景変動閾値間の補間から得られた上側動的閾値及び下側動的閾値を適用することから得られた前記濃淡成分画像の第１の二値画像を含む、請求項１５に記載の画像分析方法。
【請求項２０】
前記濃淡成分画像の前記少なくとも１つの二値画像が、濃淡等方性勾配画像の第２の二値画像を含み、前記濃淡等方性勾配画像が、前記濃淡成分画像と、等方性勾配画像背景雑音統計に基づく静的閾値とを用いて得られる、請求項１９に記載の画像分析方法。
【請求項２１】
前記濃淡成分画像の前記少なくとも１つの二値画像が、前記第１の二値画像及び前記第２の二値画像の組み合わせから得られた合成二値画像を含む、請求項２０に記載の画像分析方法。
【請求項２２】
前記液体試料のカラムの位置及び前記光ビーム経路の位置を前記合成二値画像から検出することをさらに含む、請求項２１に記載の画像分析方法。
【請求項２３】
前記液体試料の前記カラムの歪みを前記合成二値画像から検出することをさらに含む、請求項２２に記載の画像分析方法。
【請求項２４】
前記液体試料の前記カラムの完全性を前記合成二値画像から評価することをさらに含む、請求項２２に記載の画像分析方法。
【請求項２５】
画像分析システムを含む分光計であって、前記システムが、
ａ．前記分光計の中心部と台座との間に配設された液体試料の画像を収集するビデオカメラであって、前記  画像が、光度または分光測定のために前記中心部と前記台座との間の光ビーム経路を通して光源が光を照らしている間に収集される、ビデオカメラと、  
ｂ．前記画像を用いて、前記液体試料のカラム内の気泡を検出するように適合された処理装置と、を備える画像分析システム。
【請求項２６】
前記画像が、ＹＵＶ色画像であり、前記処理装置が、ｉ）前記ＹＵＶ色画像から濃淡成分画像及び光散乱成分画像を得るように、かつｉｉ）前記濃淡成分画像の少なくとも１つの二値画像及び前記光散乱成分画像の少なくとも１つの二値画像を得るようにさらに適合されている、請求項２５に記載の画像分析システム。
【請求項２７】
前記濃淡成分画像の前記少なくとも１つの二値画像が、前記濃淡成分画像内の左右背景変動閾値間の補間から得られた上側動的閾値及び下側動的閾値を適用することから得られた前記濃淡成分画像の第１の二値画像を含む、請求項２６に記載の画像分析システム。
【請求項２８】
前記濃淡成分画像の前記少なくとも１つの二値画像が、濃淡等方性勾配画像の第２の二値画像を含み、前記濃淡等方性勾配画像が、前記濃淡成分画像と、等方性勾配画像背景雑音統計に基づく静的閾値とを用いて得られる、請求項２７に記載の画像分析システム。
【請求項２９】
前記濃淡成分画像の前記少なくとも１つの二値画像が、前記第１の二値画像及び前記第２の二値画像の組み合わせから得られた合成二値画像を含む、請求項２８に記載の画像分析システム。
【請求項３０】
前記処理装置が、前記液体試料の前記カラムの位置及び前記光ビーム経路の位置を前記合成二値画像から検出するようにさらに適合されている、請求項２９に記載の画像分析システム。
【請求項３１】
前記処理装置が、前記濃淡成分画像と前記光散乱成分画像の前記少なくとも１つの二値画像との両方を用いて、前記液体試料の前記カラム内の気泡を検出するようにさらに適合されている、請求項３０に記載の画像分析システム。
【請求項３２】
前記濃淡成分画像を用いることが、前記濃淡成分画像から得られた濃淡等方性勾配画像にリング検出フィルタを適用することを含む、請求項３１に記載の画像分析システム。
【請求項３３】
前記少なくとも１つの二値光散乱成分画像を用いることが、前記光散乱成分画像の前記少なくとも１つの二値画像にモルフォロジカルフィルタを適用することを含む、請求項３１に記載の画像分析システム。
【請求項３４】
前記処理装置が、前記濃淡成分画像、前記光散乱成分画像の前記少なくとも１つの二値画像、及び算出された前記光ビーム経路の位置を用いて、前記光ビーム経路内の気泡を前記光ビーム経路から出た気泡と区別するようにさらに適合されている、請求項３１に記載の画像分析システム。
【請求項３５】
画像分析方法であって、
ａ．分光計の中心部と台座との間に配設された液体試料の画像を収集することであって、前記画像が、光度または分光測定のために前記中心部と前記台座との間の光ビーム経路を通して光源が光を照らしている間に収集される、収集することと、
ｂ．前記液体試料のカラムの位置及び前記光ビーム経路の位置を前記画像から検出することと、
ｃ．前記画像を用いて、前記液体試料の前記カラム内の気泡を検出することと、
ｄ．画像分析要約をディスプレイに報告することと、を含む画像分析方法。
【請求項３６】
前記液体試料の画像を収集することが、ＹＵＶ色画像を収集することと、前記ＹＵＶ色画像から濃淡成分画像及び光散乱成分画像を得ることと、前記濃淡成分画像の少なくとも１つの二値画像及び前記光散乱成分画像の少なくとも１つの二値画像を得ることと、を含む、請求項３５に記載の画像分析方法。
【請求項３７】
前記濃淡成分画像の前記少なくとも１つの二値画像が、前記濃淡成分画像内の左右背景変動閾値間の補間から得られた上側動的閾値及び下側動的閾値を適用することから得られた前記濃淡成分画像の第１の二値画像を含む、請求項３６に記載の画像分析方法。
【請求項３８】
前記濃淡成分画像の前記少なくとも１つの二値画像が、濃淡等方性勾配画像の第２の二値閾値を含み、前記濃淡等方性勾配画像が、前記濃淡成分画像と、等方性勾配画像背景雑音統計に基づく静的閾値とを用いて得られる、請求項３７に記載の画像分析方法。
【請求項３９】
前記濃淡成分画像の前記少なくとも１つの二値画像が、前記第１の二値画像及び前記第２の二値画像の組み合わせから得られた合成二値画像を含む、請求項３８に記載の画像分析方法。
【請求項４０】
前記液体試料のカラムの位置及び前記光ビーム経路の位置を前記合成二値画像から検出することをさらに含む、請求項３９に記載の画像分析方法。
【請求項４１】
前記液体試料の前記カラム内の気泡を検出することが、前記濃淡成分画像と、前記光散乱成分画像の前記少なくとも１つの二値画像との両方を用いることを含む、請求項４０に記載の画像分析方法。
【請求項４２】
前記濃淡成分画像を用いることが、前記濃淡成分画像から得られた濃淡等方性勾配画像にリング検出フィルタを適用することを含む、請求項４１に記載の画像分析方法。
【請求項４３】
少なくとも１つの二値光散乱成分画像を用いることが、前記光散乱成分画像の前記少なくとも１つの二値画像にモルフォロジカルフィルタを適用することを含む、請求項４１に記載の画像分析方法。
【請求項４４】
前記濃淡成分画像、前記光散乱成分画像の前記少なくとも１つの二値画像、及び算出された前記光ビーム経路の位置を用いて、前記光ビーム経路内の気泡を前記光ビーム経路から出た気泡と区別することをさらに含む、請求項４１に記載の画像分析方法。
【国際調査報告】
2018535393.tif 000055
2018535393.tif 000056
2018535393.tif 000057